(57)【特許請求の範囲】
【請求項１】
浴槽と洗い場とが互いに並べて設置され周囲を壁面で囲まれてなるカウンタ付き浴室であって、
前記浴槽と、前記浴槽の側面と対向する第１の壁面と、の間において、前記第１の壁面と隣接して設けられ前記浴槽の短辺と接する第２の壁面の前記洗い場の側に沿うように前記洗い場の上方に配置された腰掛け可能なカウンタと、
前記カウンタの前方部および後方部を長手方向にそれぞれ貫通し前記カウンタを支持する少なくとも２本の支柱と、
を備え、
前記支柱の一端部は、前記浴槽のエプロンの前記洗い場とは反対の側において支持部材に固定され、前記支柱の前記一端部とは反対の側の他端部は、前記第１の壁面に固定され、
前記カウンタの前記長手方向の両端部と、前記エプロンおよび前記第１の壁面と、のそれぞれの間において、並びに、前記カウンタの後端部と、前記第２の壁面と、の間において、前記カウンタが前記浴槽、前記第１の壁面、および前記第２の壁面から離れていることを視認可能な広さの隙間が設けられたことを特徴とするカウンタ付き浴室。
【請求項２】
前記隙間は、３センチメートル以上であることを特徴とする請求項１記載のカウンタ付き浴室。
【請求項３】
前記支柱を長手方向にみたときの断面形状は、円形状であることを特徴とする請求項１または２に記載のカウンタ付き浴室。
【請求項４】
前記第１の壁面は、前記洗い場の周囲に設けられ前記洗い場と一体成形されて前記浴槽の高さと同じ高さを有する床壁面を含み、
前記支持部材は、前記床壁面と対向して前記洗い場の周囲に設けられ前記洗い場と一体成形されて前記浴槽の高さと同じ高さを有する他の床壁面を含み、
前記支柱の一端部は、前記他の床壁面に固定され、前記支柱の他端部は、前記床壁面に固定されたことを特徴とする請求項１〜３のいずれか１つに記載のカウンタ付き浴室。
【発明の詳細な説明】
【技術分野】
【０００１】
本発明の態様は、一般的に、カウンタ付き浴室に関し、具体的にはカウンタを備えた浴室に関する。
【背景技術】
【０００２】
例えば、使用者が楽な姿勢で洗髪や身体洗いを行えるように、浴室内に腰掛け可能なカウンタが設置されたカウンタ付き浴室がある。カウンタには人が腰掛けるため、カウンタが破損したり落下したりすることを防止する必要がある。そこで、壁パネルの壁面に取付固定された三角形状の支持材により、カウンタにかかる荷重が支えられる浴室ユニットがある（特許文献１）。また、断面略三角の形状に成るように形成された取り付け具にカウンタが固定された浴室ユニットがある（特許文献２）。
【０００３】
しかし、特許文献１および特許文献２に記載された浴室ユニットでは、止水のための例えばシリコンなどがカウンタの周りに塗布される。そのため、カウンタや浴室が無骨なデザインとなるという問題がある。
【先行技術文献】
【特許文献】
【０００４】
【特許文献１】特開２００９−３４１８４号公報
【特許文献２】特開２００２−２２３９７５号公報
【発明の概要】
【発明が解決しようとする課題】
【０００５】
本発明は、かかる課題の認識に基づいてなされたものであり、強度を確保しつつ見栄えのよいカウンタを備えたカウンタ付き浴室を提供することを目的とする。
【課題を解決するための手段】
【０００６】
第１の発明は、浴槽と洗い場とが互いに並べて設置され周囲を壁面で囲まれてなるカウンタ付き浴室であって、前記浴槽と、前記浴槽の側面と対向する第１の壁面と、の間において、前記第１の壁面と隣接して設けられ前記浴槽の短辺と接する第２の壁面の前記洗い場の側に沿うように前記洗い場の上方に配置された腰掛け可能なカウンタと、前記カウンタの前方部および後方部を長手方向にそれぞれ貫通し前記カウンタを支持する少なくとも２本の支柱と、を備え、前記支柱の一端部は、前記浴槽のエプロンの前記洗い場とは反対の側において支持部材に固定され、前記支柱の前記一端部とは反対の側の他端部は、前記第１の壁面に固定され、前記カウンタの前記長手方向の両端部と、前記エプロンおよび前記第１の壁面と、のそれぞれの間において、並びに、前記カウンタの後端部と、前記第２の壁面と、の間において、前記カウンタが前記浴槽、前記第１の壁面、および前記第２の壁面から離れていることを視認可能な広さの隙間が設けられたことを特徴とするカウンタ付き浴室である。
【０００７】
このカウンタ付き浴室によれば、カウンタと浴室のエプロンとの間、およびカウンタと浴室の壁面との間において、カウンタが浴槽および壁面から離れていることを視認可能な広さの隙間が設けられている。そのため、カウンタが浮いているような印象を与えることができ、また、幻想的な印象を与えることができる。また、カウンタの周りの隙間は、水が貯まらない程度の広さを有するため、カウンタの周囲に例えばシリコンなどを塗布し止水性を確保する必要はない。これにより、シリコン部分が経年劣化したり、あるいはカビが発生したりすることを抑え、見栄えの良さを比較的長年にわたり維持することができる。
【０００８】
カウンタと浴槽との間には、カウンタが浴槽から離れていることを視認可能な広さの隙間が設けられているため、カウンタの上の水が浴槽の中に流れ込むことを抑えることができる。そのため、カウンタと浴槽との間に導水用の溝を設ける必要はない。これにより、浴室のデザイン性を向上させることができる。また、カウンタの周囲には、視認可能な程度の隙間が設けられているため、その隙間におけるカウンタの端部や壁面やエプロンや浴槽などを水で容易に洗浄することができる。これにより、カウンタの周囲における汚れの付着やカビの発生を抑えることができる。
【０００９】
支柱は、カウンタの前方部および後方部を長手方向にそれぞれ貫通し、カウンタを支持している。そのため、使用者がカウンタに腰掛けても、カウンタは、十分な強度を確保することができる。また、カウンタの下方において、カウンタを第２の壁面に片持ち支持する例えば支持材などは不要である。そのため、カウンタの下方が雑然とした感じとなることを抑えることができる。また、支柱が金属管により形成されている場合には、使用者は、カウンタと浴槽との間の隙間およびカウンタと第１の壁面との間の隙間から金属管を視認することができる。そのため、使用者は、支柱の強度がより高いことを視認することができ、より安心してカウンタに腰掛けることができる。
【００１０】
カウンタと第２の壁面との間には隙間が設けられているため、カウンタの後方に水が貯まることを抑えることができる。そのため、カウンタに腰掛けた人に水を流したときに、その人の臀部の後方に水が貯まることを抑えることができる。これにより、使用者は、カウンタを腰掛部として快適に使用することができる。
【００１１】
また、第２の発明は、第１の発明において、前記隙間は、３センチメートル以上であることを特徴とするカウンタ付き浴室である。
【００１２】
このカウンタ付き浴室によれば、隙間に手や掃除用具を挿入することができる。そのため、その隙間におけるカウンタの端部や壁面やエプロンや浴槽などをより容易に洗浄することができる。
【００１３】
また、第３の発明は、第１または第２の発明において、前記支柱を長手方向にみたときの断面形状は、円形状であることを特徴とするカウンタ付き浴室である。
【００１４】
このカウンタ付き浴室によれば、隙間に露出する支柱の上には水が貯まりにくい。そのため、支柱の表面の意匠の悪化を抑制することができる。また、支柱は、金属管により形成されている場合には、中実ではなく中空部を内部に有する。そのため、支柱の軽量化を図ることができる。
【００１５】
また、第４の発明は、第１〜第３の発明において、前記第１の壁面は、前記洗い場の周囲に設けられ前記洗い場と一体成形されて前記浴槽の高さと同じ高さを有する床壁面を含み、前記支持部材は、前記床壁面と対向して前記洗い場の周囲に設けられ前記洗い場と一体成形されて前記浴槽の高さと同じ高さを有する他の床壁面を含み、前記支柱の一端部は、前記他の床壁面に固定され、前記支柱の他端部は、前記床壁面に固定されたことを特徴とするカウンタ付き浴室である。
【００１６】
このカウンタ付き浴室によれば、支柱をより強固に固定することができる。
【発明の効果】
【００１７】
本発明の態様によれば、強度を確保しつつ見栄えのよいカウンタを備えたカウンタ付き浴室が提供される。
【図面の簡単な説明】
【００１８】
【図１】本発明の実施の形態にかかる浴室を表す斜視模式図である。
【図２】本実施形態のカウンタの近傍を拡大した斜視模式図である。
【図３】本実施形態の支柱のエプロンの側の端部近傍を拡大した斜視模式図である。
【図４】本実施形態のカウンタを斜め上方から眺めた斜視模式図である。
【図５】本実施形態のカウンタを斜め下方から眺めた斜視模式図である。
【図６】本実施形態の洗い場および浴槽の具体例を例示する斜視模式図である。
【図７】本実施形態のエプロンの裏側を表す斜視模式図である。
【図８】本実施形態の支柱のエプロン側の端部における固定構造を表す斜視模式図である。
【図９】本実施形態の支柱のエプロン側の端部における固定構造を拡大した平面模式図である。
【図１０】本実施形態の支柱のエプロン側とは反対側の端部における固定構造を表す斜視模式図である。
【図１１】第１の支柱および第２の支柱の固定構造あるいは固定方法の他の具体例を説明する斜視模式図である。
【発明を実施するための形態】
【００１９】
以下、本発明の実施の形態について図面を参照しつつ説明する。なお、各図面中、同様の構成要素には同一の符号を付して詳細な説明は適宜省略する。  
図１は、本発明の実施の形態にかかる浴室を表す斜視模式図である。  
また、図２は、本実施形態のカウンタの近傍を拡大した斜視模式図である。  
また、図３は、本実施形態の支柱のエプロンの側の端部近傍を拡大した斜視模式図である。
【００２０】
本実施形態にかかる浴室１０は、浴槽１１０と、洗い場２１０と、第１の壁面４１０と、第２の壁面４２０と、第３の壁面４３０と、天井４４０と、を備える。浴槽１１０と洗い場２１０とは、互いに並べて設置されている。洗い場２１０と浴槽１１０との間には、エプロン１５０が設けられている。エプロン１５０は、浴槽１１０の側面を覆っている。つまり、エプロン１５０は、洗い場２１０と浴槽１１０との間に形成される開口を塞ぐように取り付けられている。
【００２１】
図２および図３に表したように、浴槽１１０は、第１のリム１１１と、第２のリム１１２と、第３のリム１１３と、を有する。第１のリム１１１は、洗い場２１０の側に形成されている。第３のリム１１３は、洗い場２１０の側とは反対の側に形成されている。第２のリム１１２は、第１のリム１１１および第３のリム１１３に隣接し、第２の壁面４２０の側に形成されている。
【００２２】
第１の壁面４１０と、第２の壁面４２０と、第３の壁面４３０と、は、浴槽１１０および洗い場２１０の周囲に設置されている。具体的には、第１の壁面４１０は、浴槽１１０の洗い場２１０の側の側面と対向して設置されている。言い換えれば、第１の壁面４１０は、エプロン１５０と対向して設置されている。第３の壁面４３０は、第１の壁面４１０と対向して設置されている。第２の壁面４２０は、第１の壁面４１０および第３の壁面４３０と隣接し、浴槽１１０の第２のリム１１２に沿って設置されている。第２の壁面４２０は、浴槽１１０の短辺側リム（本実施形態では第２のリム１１２）と接している。
【００２３】
本実施形態では、洗い場２１０と一体成形された第１の床壁面（床壁面）２１１（図６（ａ）参照）、第２の床壁面２１２（図６（ａ）参照）、および第３の床壁面（他の床壁面）２１３（図６（ａ）参照）が洗い場２１０の周囲に設けられている。すなわち、本実施形態では、第１の壁面４１０は、第１の床壁面２１１と、第１の床壁面２１１の上に立設された第１の浴室壁面４１１と、を有する。第２の壁面４２０は、第２の床壁面２１２と、第２の床壁面２１２の上に立設された第２の浴室壁面４２１と、を有する。但し、第１の壁面４１０および第２の壁面４２０の設置形態は、これだけに限定されるわけではない。例えば、第１の床壁面２１１、第２の床壁面２１２、および第３の床壁面２１３が設けられず、第１の壁面４１０（第１の浴室壁面４１１）および第２の壁面４２０（第２の浴室壁面４２１）が洗い場２１０の周縁部から上方へ立設されていてもよい。第１の床壁面２１１、第２の床壁面２１２、および第３の床壁面２１３については、後に詳述する。
【００２４】
図１および図２に表したように、浴槽１１０と第１の壁面４１０との間において、第２の壁面４２０の洗い場２１０の側に沿うようにカウンタ２５０が設けられている。使用者は、カウンタ２５０に腰掛けることができる。カウンタ２５０には、第１の支柱２６１と、第２の支柱２６３と、が取り付けられている。第１の支柱２６１および第２の支柱２６３は、例えば金属管などにより形成されている。また、第１の支柱２６１および第２の支柱２６３を長手方向にみたときの断面形状は、例えば円形状である。
【００２５】
図３に表したように、第１の支柱２６１および第２の支柱２６３のそれぞれの一端部は、エプロン１５０の裏側（洗い場２１０とは反対の側）において図示しない支持部材に固定されている。一方、図１および図２に表したように、第１の支柱２６１および第２の支柱２６３のそれぞれの他端部は、第１の壁面４１０に固定されている。第１の支柱２６１および第２の支柱２６３の固定構造あるいは固定方法については、後に詳述する。これにより、カウンタ２５０は、洗い場２１０の上方に設けられている。そして、カウンタ２５０の上面は、浴槽１１０の第１のリム１１１、第２のリム１１２、および第３のリム１１３の上面と略同じ高さの位置に設けられている。
【００２６】
ここで、本願明細書において、カウンタ２５０の上面に対して垂直な方向であって、カウンタ２５０に腰掛けた使用者からみて上方を「上方」とし、カウンタ２５０に腰掛けた使用者からみて下方を「下方」とする。また、カウンタ２５０の上面に対して平行な方向であって、カウンタ２５０の前に立った使用者からみて右側を「右側方」とし、カウンタ２５０の前に立った使用者からみて左側を「左側方」とする。さらに、カウンタ２５０の上面に対して平行な方向であって、カウンタ２５０に腰掛けた使用者からみて前方を「前方」とし、カウンタ２５０に腰掛けた使用者からみて前方を「後方」と後方とする。
【００２７】
カウンタ２５０は、カウンタ２５０の長手方向が左右方向となるように配置されている。図２に表したように、カウンタ２５０の右端部２５１と第１の壁面４１０との間においては、カウンタ２５０が第１の壁面４１０から離れていることが視認可能な広さの隙間が設けられている。カウンタ２５０の右端部２５１と第１の壁面４１０との間の隙間Ｄ１１は、例えば約３〜１０センチメートル（ｃｍ）程度である。カウンタ２５０の左端部２５２とエプロン１５０あるいは浴槽１１０との間においては、カウンタ２５０がエプロン１５０あるいは浴槽１１０から離れていることが視認可能な広さの隙間が設けられている。カウンタ２５０の左端部２５２とエプロン１５０あるいは浴槽１１０との間の隙間Ｄ１２は、例えば約３〜１０ｃｍ程度である。図３に表したように、カウンタ２５０の後端部２５３と第２の壁面４２０との間においては、カウンタ２５０が第２の壁面４２０から離れていることが視認可能な広さの隙間が設けられている。カウンタ２５０の後端部２５３と第２の壁面４２０との間の隙間Ｄ１３は、例えば約３〜１０ｃｍ程度である。なお、カウンタ２５０のサイズを大きく確保するために、隙間Ｄ１１、Ｄ１２、Ｄ１３は、約３〜６ｃｍ程度であることがより好ましい。
【００２８】
本実施形態によれば、カウンタ２５０の三方に隙間Ｄ１１、Ｄ１２、Ｄ１３が設けられているので、カウンタ２５０が浮いているような印象を与えることができ、また、幻想的な印象を与えることができる。また、カウンタ２５０の右端部２５１、左端部２５２、および後端部２５３の周りのそれぞれの隙間Ｄ１１、Ｄ１２、Ｄ１３は、水が貯まらない程度の広さを有するため、カウンタ２５０の周囲に例えばシリコンなどを塗布し止水性を確保する必要はない。これにより、シリコン部分が経年劣化したり、あるいはカビが発生したりすることを抑え、見栄えの良さを比較的長年にわたり維持することができる。
【００２９】
カウンタ２５０の左端部２５２とエプロン１５０あるいは浴槽１１０との間には隙間Ｄ１２が設けられているため、カウンタ２５０の上の水が浴槽１１０の中に流れ込むことを抑えることができる。そのため、カウンタ２５０と浴槽１１０との間に導水用の溝を設ける必要はない。これにより、浴室１０のデザイン性を向上させることができる。また、カウンタ２５０の周囲には、視認可能な程度の隙間Ｄ１１、Ｄ１２、Ｄ１３が設けられているため、隙間Ｄ１１、Ｄ１２、Ｄ１３におけるカウンタ２５０の端部（右端部２５１、左端部２５２、後端部２５３）や壁面（第１の壁面４１０、第２の壁面４２０）やエプロン１５０や浴槽１１０などを水で容易に洗浄することができる。これにより、カウンタ２５０の周囲における汚れの付着やカビの発生を抑えることができる。また、カウンタ２５０の周囲の隙間Ｄ１１、Ｄ１２、Ｄ１３がそれぞれ３ｃｍ以上である場合には、それらの隙間に手や掃除用具を挿入することができる。そのため、前述したカウンタ２５０の端部（右端部２５１、左端部２５２、後端部２５３）などをより容易に洗浄することができる。
【００３０】
カウンタ２５０の後端部２５３と第２の壁面４２０との間には隙間Ｄ１３が設けられているため、カウンタ２５０の後方に水が貯まることを抑えることができる。そのため、カウンタ２５０に腰掛けた人に水を流したときに、その人の臀部の後方に水が貯まることを抑えることができる。これにより、使用者は、本実施形態のカウンタ２５０を腰掛部として快適に使用することができる。また、第１の支柱２６１および第２の支柱２６３を長手方向にみたときの断面形状が円形状である場合には、隙間Ｄ１１および隙間Ｄ１２に露出した第１の支柱２６１および第２の支柱２６３の上には水が貯まりにくい。そのため、第１の支柱２６１および第２の支柱２６３の表面の意匠の悪化を抑制することができる。また、第１の支柱２６１および第２の支柱２６３は、金属管により形成されている場合には、中実ではなく中空部を内部に有する。そのため、第１の支柱２６１および第２の支柱２６３の軽量化を図ることができる。
【００３１】
また、第１のリム１１１の上方には、上下方向に立設された手摺３１０が設置されている。具体的には、手摺３１０の下端部は、第１のリム１１１の上面に接続され固定されている。一方、手摺３１０の上端部は、浴室１０の天井４４０に接続され固定されている。但し、手摺３１０の下端部は、第１のリム１１１の上面に固定されていることだけに限定されず、例えば第２の壁面４２０やエプロン１５０の裏側に設けられた図示しない部材などに固定されていてもよい。
【００３２】
手摺３１０は、例えば縦長の柱形状を呈し、第１のリム１１１の上方において上下方向に延在している。なお、本願明細書において「上下方向」という範囲には、鉛直方向だけに限定されず、第１のリム１１１の上方において立設可能あるいは延在可能な程度の方向が含まれるものとする。
【００３３】
手摺３１０の途中すなわち手摺３１０の下端部と上端部との間には、第１のシャワーフック３２０が設けられている。図３に表したように、第１のシャワーフック３２０は、シャワーヘッド３３０を保持することができる。第１のシャワーフック３２０は、手摺３１０が途中で上下方向に対して横方向へ分岐した分岐部を有する。手摺３１０の外形の太さ（例えば外径）Ｄ１は、手摺３１０が分岐された部分（分岐部）すなわち第１のシャワーフック３２０がシャワーヘッド３３０を保持する部分の外形の太さ（例えば外径）Ｄ２と略同一である。また、手摺３１０の分岐部の外形の太さ（例えば外径）Ｄ２は、シャワーヘッド３３０の外形の太さ（例えば外径）Ｄ３と略同一である。このように、手摺３１０の外形の太さＤ１と、手摺３１０の分岐部の外形の太さＤ２と、シャワーヘッド３３０の外形の太さＤ３と、を略同一とすることで、本実施形態にかかる浴室１０のデザイン性を向上させることができる。
【００３４】
手摺３１０は、使用者が手で握ることができる太さＤ１を有する。手摺３１０を長手方向（延在方向）にみたときの断面形状は、例えば円形状や多角形状である。手摺３１０を長手方向にみたときの断面形状が円形状である場合には、手摺３１０の外径Ｄ１は、例えば約３０〜３２ミリメートル（ｍｍ）程度である。使用者は、カウンタ２５０に腰掛けた状態で手摺３１０を把持することができる。
【００３５】
図１に表したように、第１のシャワーフック３２０よりも上方の手摺３１０には、第２のシャワーフック３４０が設けられている。第２のシャワーフック３４０は、第１のシャワーフック３２０と同様にシャワーヘッド３３０を保持することができ、手摺３１０に沿って上下方向に移動することができる。
【００３６】
図３に表したように、第１のリム１１１の上面には、シャワー水栓用の操作部５１０が設置されている。操作部５１０は、給水量調整操作部５１１と、温度調整操作部５１３と、を有する。前述したように、カウンタ２５０の上面は、浴槽１１０の第１のリム１１１の上面と略同じ高さの位置に設けられている。そのため、操作部５１０は、カウンタ２５０と略同じ高さの位置に設けられている。そして、使用者は、カウンタ２５０に腰掛けた状態で操作部５１０を操作（使用）することができる。
【００３７】
図１に表したように、天井４４０には、オーバーヘッドシャワー３９０が設けられている。オーバーヘッドシャワー３９０は、洗い場２１０にいる使用者の頭上から水を吐水することができる。例えば、使用者は、給水量調整操作部５１１を一方へ回転させることでシャワーヘッド３３０から水を吐水させることができ、給水量調整操作部５１１を他方へ回転させることでオーバーヘッドシャワー３９０から水を吐水させることができる。
【００３８】
図４は、本実施形態のカウンタを斜め上方から眺めた斜視模式図である。  
また、図５は、本実施形態のカウンタを斜め下方から眺めた斜視模式図である。  
なお、図５は、図４に表した切断面Ａ−Ａにおける断面模式図である。説明の便宜上、図５に表した浴室１０では、エプロン１５０を省略している。
【００３９】
図１および図２に関して前述したように、カウンタ２５０には、第１の支柱２６１と、第２の支柱２６３と、が取り付けられている。第１の支柱２６１は、第２の支柱２６３からみて前方側に設けられている。一方、第２の支柱２６３は、第１の支柱２６１から後方側に設けられている。但し、カウンタ２５０に取り付けられる支柱の設置数は、２本に限定されるわけではない。例えば、カウンタ２５０の前後方向の前方部および後方部において、それぞれ少なくとも１本（合計２本）以上の支柱が設けられていればよい。図４および図５に表したように、第１の支柱２６１および第２の支柱２６３は、カウンタ２５０を長手方向に貫通している。
【００４０】
これによれば、第１の支柱２６１および第２の支柱２６３は、カウンタ２５０の前方部および後方部を左右方向にそれぞれ貫通し、カウンタ２５０を支持している。そのため、使用者がカウンタ２５０に腰掛けても、カウンタ２５０は、十分な強度を確保することができる。また、図５に表したように、カウンタ２５０の下方において、カウンタ２５０を第２の壁面４２０に片持ち支持する例えば支持材などは不要である。そのため、カウンタ２５０の下方が雑然とした感じとなることを抑えることができる。また、第１の支柱２６１および第２の支柱２６３が金属管により形成されている場合には、使用者は、図１〜図３に関して前述した隙間Ｄ１１および隙間Ｄ１２から金属管を視認することができる。そのため、使用者は、第１の支柱２６１および第２の支柱２６３の強度がより高いことを視認することができ、より安心してカウンタ２５０に腰掛けることができる。
【００４１】
次に、第１の支柱２６１および第２の支柱２６３の固定構造あるいは固定方法の具体例について、図面を参照しつつ説明する。  
図６は、本実施形態の洗い場および浴槽の具体例を例示する斜視模式図である。  
図７は、本実施形態のエプロンの裏側を表す斜視模式図である。  
また、図８は、本実施形態の支柱のエプロン側の端部における固定構造を表す斜視模式図である。  
また、図９は、本実施形態の支柱のエプロン側の端部における固定構造を拡大した平面模式図である。  
なお、図８および図９は、図４に表した切断面Ａ−Ａにおける断面模式図である。説明の便宜上、図８に表した浴室１０では、エプロン１５０を省略している。
【００４２】
まず、本具体例の洗い場２１０および浴槽１１０について、図６を参照しつつ説明する。  
図６（ａ）に表したように、本具体例では、洗い場２１０の周囲に、第１の床壁面２１１と、第２の床壁面２１２と、第３の床壁面２１３と、が設けられている。第１の床壁面２１１と、第２の床壁面２１２と、第３の床壁面２１３と、は、洗い場２１０と一体成形されている。第１の床壁面２１１と、第２の床壁面２１２と、第３の床壁面２１３と、の高さは、浴槽１１０のリム（第１のリム１１１、第２のリム１１２、第３のリム１１３）の高さと略同じである。図６（ｂ）に表した矢印Ａ２１のように、浴槽１１０は、第１の床壁面２１１、第２の床壁面２１２、および第３の床壁面２１３の少なくともいずれか（本具体例では第３の床壁面２１３）に沿って設置される。  
すなわち、本具体例では、図１に関して前述したように、第１の壁面４１０は、第１の床壁面２１１と、第１の床壁面２１１の上に立設された第１の浴室壁面４１１と、を有する。第２の壁面４２０は、第２の床壁面２１２と、第２の床壁面２１２の上に立設された第２の浴室壁面４２１と、を有する。第１の床壁面２１１は、第３の床壁面２１３と対向して配置されている。
【００４３】
このように、浴槽１１０のリムと略同じ高さの床壁面が洗い場２１０の周囲に設置されていると、第１の浴室壁面４１１、第２の浴室壁面４２１、第３の壁面４３０、および天井４４０を従来工法で仕上げることができる。そして、第１の浴室壁面４１１、第２の浴室壁面４２１、第３の壁面４３０、および天井４４０を多様なデザインとすることができる。例えば、第１の浴室壁面４１１および第２の浴室壁面４２１などをタイル張りの壁面に仕上げることができる。あるいは、例えば、第１の浴室壁面４１１および第２の浴室壁面４２１などを木造の壁面に仕上げることができる。
【００４４】
続いて、第１の支柱２６１および第２の支柱２６３のエプロン側における固定構造あるいは固定方法を説明する。  
図７に表したように、第３の床壁面２１３の裏側（洗い場２１０とは反対の側）には、補強部材１３１が付設されている。補強部材１３１は、例えば金属板などにより形成されている。そして、第１の支柱２６１および第２の支柱２６３のそれぞれの一端部は、図８に表したように第３の床壁面２１３に当接し、図７に表したように第３の床壁面２１３および補強部材１３１を介して例えばボルトなどの締結部材１３３によりそれぞれ固定されている。これにより、図９に表したように、第１の支柱２６１および第２の支柱２６３の一端部は、エプロン１５０を貫通し、エプロン１５０の裏側において第３の床壁面（支持部材）２１３にそれぞれ固定される。
【００４５】
図１０は、本実施形態の支柱のエプロン側とは反対側の端部における固定構造を表す斜視模式図である。  
なお、図１０は、図４に表した切断面Ａ−Ａにおける断面模式図である。説明の便宜上、図１０に表した浴室１０では、エプロン１５０を省略している。
【００４６】
図１０に表したように、第１の床壁面２１１の裏側（洗い場２１０とは反対の側）には、補強部材１３１が付設されている。補強部材１３１は、図７に関して前述したように、例えば金属板などにより形成されている。そして、第１の支柱２６１および第２の支柱２６３のそれぞれの他端部は、第１の床壁面２１１に当接し（例えば図５参照）、図１０に表したように第１の床壁面２１１および補強部材１３１を介して締結部材１３３によりそれぞれ固定されている。これにより、第１の支柱２６１および第２の支柱２６３の他端部は、第１の床壁面２１３にそれぞれ固定される。
【００４７】
本具体例によれば、第１の支柱２６１および第２の支柱２６３のそれぞれの一端部は、エプロン１５０の裏側において、洗い場２１０と一体成形された第３の床壁面２１３にそれぞれ固定される。一方、第１の支柱２６１および第２の支柱２６３の他端部は、洗い場２１０と一体成形された第１の床壁面２１３にそれぞれ固定される。そのため、第１の支柱２６１および第２の支柱２６３をより強固に固定することができる。
【００４８】
図１１は、第１の支柱および第２の支柱の固定構造あるいは固定方法の他の具体例を説明する斜視模式図である。  
なお、図１１は、図４に表した切断面Ａ−Ａにおける断面模式図に相当する。説明の便宜上、図１１に表した浴室１０では、エプロン１５０を省略している。
【００４９】
図１に関して前述したように、第１の床壁面２１１、第２の床壁面２１２、および第３の床壁面２１３は、洗い場２１０の周囲に設けられていなくともよい。すなわち、第１の壁面４１０（第１の浴室壁面４１１）および第２の壁面４２０（第２の浴室壁面４２１）が洗い場２１０の周縁部から上方へ立設されていてもよい。本具体例では、図１１に表したように、第１の壁面４１０は、洗い場２１０の周縁部において浴槽１１０の洗い場２１０の側の側面と対向して設置されている。第２の壁面４２０は、第１の壁面４１０と隣接し、洗い場２１０の周縁部において浴槽１１０の第２のリム１１２に沿って設置されている。
【００５０】
図１１に表したように、エプロン１５０の裏側であって洗い場２１０の周縁部には、支持部材１４１が設置されている。支持部材１４１は、例えば金属板などにより形成され、洗い場２１０の周縁部に適宜固定されている。そして、第１の支柱２６１および第２の支柱２６３のそれぞれの一端部は、支持部材１４１に当接し、例えばボルトなどの締結部材１４３によりそれぞれ固定されている。これにより、第１の支柱２６１および第２の支柱２６３の一端部は、エプロン１５０を貫通し、エプロン１５０の裏側において支持部材１４１にそれぞれ固定される。
【００５１】
一方、第１の支柱２６１および第２の支柱２６３のそれぞれの他端部は、第１の壁面４１０に当接し、図示しない締結部材によりそれぞれ固定されている。第１の支柱２６１および第２の支柱２６３のそれぞれの他端部の固定構造あるいは固定方法は、固定部材が第１の床壁面２１３から第１の壁面４１０に変更された点を除き、図１０に関して前述した固定構造あるいは固定方法と同様である。
【００５２】
本具体例によれば、一般的なユニットバスにおいて、カウンタ２５０の強度を確保しつつ、見栄えの良さを比較的長年にわたり維持することができる。
【００５３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、カウンタ２５０、第１の支柱２６１、および第２の支柱２６３などが備える各要素の形状、寸法、材質、配置などや第１の支柱２６１および第２の支柱２６３の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００５４】
１０ 浴室、  １１０ 浴槽、  １１１ 第１のリム、  １１２ 第２のリム、  １１３ 第３のリム、  １３１ 補強部材、  １３３ 締結部材、  １４１ 支持部材、  １４３ 締結部材、  １５０ エプロン、  ２１０ 洗い場、  ２１１ 第１の床壁面、  ２１２ 第２の床壁面、  ２１３ 第３の床壁面、  ２５０ カウンタ、  ２５１ 右端部、  ２５２ 左端部、  ２５３ 後端部、  ２６１ 第１の支柱、  ２６３ 第２の支柱、  ３１０ 手摺、  ３２０ 第１のシャワーフック、  ３３０ シャワーヘッド、  ３４０ 第２のシャワーフック、  ３９０ オーバーヘッドシャワー、  ４１０ 第１の壁面、  ４１１ 第１の浴室壁面、  ４２０ 第２の壁面、  ４２１ 第２の浴室壁面、  ４３０ 第３の壁面、  ４４０ 天井、  ５１０ 操作部、  ５１１ 給水量調整操作部、  ５１３ 温度調整操作部
【図１】
0005839231.tif 000002
【図２】
0005839231.tif 000003
【図３】
0005839231.tif 000004
【図４】
0005839231.tif 000005
【図５】
0005839231.tif 000006
【図６】
0005839231.tif 000007
【図７】
0005839231.tif 000008
【図８】
0005839231.tif 000009
【図９】
0005839231.tif 000010
【図１０】
0005839231.tif 000011
【図１１】
0005839231.tif 000012